(57)【要約】【課題】放出口から放出された氷が通過するシュートの清掃を容易とし、且つ、シュートを適切に取り付けることができる氷ディスペンサを提供する。【解決手段】本発明の氷ディスペンサＩＤは、本体２５内に製氷機ＩＭと、該製氷機ＩＭで製造された氷を蓄える貯氷庫１９とを備え、貯氷庫１９の前面に形成された放出口６３より氷を放出し、シュート２４を介して排出するものであって、本体２５前面に取り付けられ、貯氷庫１９及びシュート２４を前方から開閉自在に覆う前面パネル２７と、放出口６３に対応して貯氷庫１９に取り付けられた取付板６０とを備え、シュート２４は、その上部及び下部を取付板６０に保持されると共に、前面パネル２７を開放した状態で、取付板６０に対し、着脱自在とされている。【選択図】図２
2009097780.tif 000002
【特許請求の範囲】
【請求項１】
本体内に製氷機と、該製氷機で製造された氷を蓄える貯氷庫とを備え、該貯氷庫の前面に形成された放出口より氷を放出し、シュートを介して排出する氷ディスペンサにおいて、
前記本体前面に取り付けられ、前記貯氷庫及びシュートを前方から開閉自在に覆う前面パネルと、
前記放出口に対応して前記貯氷庫に取り付けられた取付板とを備え、
前記シュートは、その上部及び下部を前記取付板に保持されると共に、前記前面パネルを開放した状態で、前記取付板に対し、着脱自在とされていることを特徴とする氷ディスペンサ。
【請求項２】
前記取付板は、上部に位置して前記シュートを挿脱自在に保持する上部保持枠と、下部に位置して前記シュートの下縁が係脱自在に載置される下部保持枠とを備えることを特徴とする請求項１に記載の氷ディスペンサ。
【請求項３】
前記取付板は、上部に位置して前記シュートが係脱自在に係合される上部係合部と、下部に位置して前記シュートの下縁が係脱自在に載置される下部保持枠とを備えることを特徴とする請求項１に記載の氷ディスペンサ。
【請求項４】
飲用の水を放出する水パイプを備え、該水パイプは前記取付板に取り付けられていることを特徴とする請求項１乃至請求項３の何れかに記載の氷ディスペンサ。
【発明の詳細な説明】
【技術分野】
【０００１】
本発明は、例えばレストラン等に設置され、氷を生成して提供する氷ディスペンサに関するものである。
【背景技術】
【０００２】
従来よりこの種氷ディスペンサにはオーガ式製氷機が搭載されている。このオーガ式製氷機は、冷却器（冷媒配管）を外面に設けた冷却円筒内にオーガを回転可能に挿入し、冷却円筒内には給水管から製氷用水を供給すると共に、オーガモータによりオーガを回転駆動し、冷却器による冷却によって前記冷却円筒の内壁に生成した氷を削取しつつ上方に移送し、圧縮することによって連続的に氷片を生成するよう構成されている。
【０００３】
この場合、氷をカップ内に放出する氷ディスペンサでは、オーガ式製氷機で生成された氷は冷却円筒の上方に設けられる貯氷庫に貯えられる。そして、使用者により放出スイッチが押されると（操作）、貯氷庫の下部に形成されたシャッタ（扉体）を開閉し、所定量の氷をシュートを介してカップに放出する構成とされている。
【０００４】
ここで、シュート内は氷の通過によってその破片が付着し、それが溶けて濡れるため、汚れやすい。そのため、汚れやカビの発生が懸念されるシュートを衛生的に維持すべく、当該シュートを貯氷庫の外面に固定する取付板に対し下方から着脱自在に保持させ、任意に取り外すことによって、別途洗浄可能としている（例えば、特許文献１参照）。
【０００５】
しかし、係る構成では、シュートの前方は、本体に固定される前面パネルにて覆われているため、当該シュートの取付板への着脱作業が煩雑となる問題がある。
【０００６】
そこで、シュートの前方を覆う前面パネルを本体から着脱自在とし、本体に固定される取付板に着脱自在にシュートが設けられるものが開発されている（特許文献２参照）。
【特許文献１】特開平８−１５２２４１号公報
【特許文献２】特開２０００−３２０９４０号公報
【発明の開示】
【発明が解決しようとする課題】
【０００７】
しかしながら、上述した如き従来の構成では、当該シュート下端に設けられた爪部（係合部）によって、本体側の取付板に着脱自在に固定されていた。そのため、シュート上端は、格別に固定されているものではないため、傾きやすく、貯氷庫前面に形成された放出口からずれた状態で取り付けられる場合がある。また、勢いよく放出口から放出される氷によってシュート上端が傾いてしまうことも考えられる。この場合、放出口から放出された氷は、シュート内ではなく、シュートが傾いて形成された隙間から漏出してしまい、円滑な氷の放出動作を実現することができないという問題がある。
【０００８】
また、当該構成では、氷と共に飲用の水を放出する水パイプは、シュートの外面に取り付けられていたため、水パイプを取り外した後でなければ、シュートを取り外して行う掃除作業をすることができないという問題があった。
【０００９】
本発明は、係る従来の技術的課題を解決するために成されたものであり、放出口から放出された氷が通過するシュートの清掃を容易とし、且つ、シュートを適切に取り付けることができる氷ディスペンサを提供する。
【課題を解決するための手段】
【００１０】
本発明の氷ディスペンサは、本体内に製氷機と、該製氷機で製造された氷を蓄える貯氷庫とを備え、該貯氷庫の前面に形成された放出口より氷を放出し、シュートを介して排出するものであって、本体前面に取り付けられ、貯氷庫及びシュートを前方から開閉自在に覆う前面パネルと、放出口に対応して貯氷庫に取り付けられた取付板とを備え、シュートは、その上部及び下部を取付板に保持されると共に、前面パネルを開放した状態で、取付板に対し、着脱自在とされていることを特徴とする。
【００１１】
請求項２の発明は、上記発明において、取付板は、上部に位置してシュートを挿脱自在に保持する上部保持枠と、下部に位置してシュートの下縁が係脱自在に載置される下部保持枠とを備えることを特徴とする。
【００１２】
請求項３の発明は、上記請求項１の発明において、取付板は、上部に位置してシュートが係脱自在に係合される上部係合部と、下部に位置してシュートの下縁が係脱自在に載置される下部保持枠とを備えることを特徴とする。
【００１３】
請求項４の発明は、上記各発明において、飲用の水を放出する水パイプを備え、該水パイプは取付板に取り付けられていることを特徴とする。
【発明の効果】
【００１４】
本発明によれば、本体内に製氷機と、該製氷機で製造された氷を蓄える貯氷庫とを備え、該貯氷庫の前面に形成された放出口より氷を放出し、シュートを介して排出する氷ディスペンサにおいて、本体前面に取り付けられ、貯氷庫及びシュートを前方から開閉自在に覆う前面パネルと、放出口に対応して貯氷庫に取り付けられた取付板とを備え、シュートは、その上部及び下部を取付板に保持されると共に、前面パネルを開放した状態で、取付板に対し、着脱自在とされているので、前面パネルを開放することで、シュートを容易に取り外して掃除することが可能となる。これにより、氷が通過することで濡れて汚れが付き易いシュートの清掃が極めて容易となり、常に衛生的な氷の排出を実現することができるようになる。
【００１５】
また、シュートは、その上部及び下部を貯氷庫に取り付けられた取付板に着脱自在に保持される構成とされているため、シュートの上端及び下端を適切な位置となるように取り付けることが可能となり、傾いてしまうことによる隙間の形成を回避でき、円滑な氷の排出を実現することができるようになる。
【００１６】
請求項２の発明によれば、上記発明に加えて、取付板は、上部に位置してシュートを挿脱自在に保持する上部保持枠と、下部に位置してシュートの下縁が係脱自在に載置される下部保持枠とを備えたので、シュート上部を上部保持枠に挿入するのみで保持させることができると共に、シュート下部を下部保持枠に載置させるのみで保持させることができ、容易にシュートは取付板の所定位置に位置決めされる。これにより、シュートの取り付け／取り外しが極めて容易となり、シュートの清掃作業性が著しく改善させるものである。
【００１７】
特に、シュート上部は、上部保持枠内に挿入されることで保持されるため、貯氷庫の放出口から放出される氷によって取付位置がずれてしまう不都合を効果的に抑止することが可能となり、円滑な氷排出を実現できる。
【００１８】
また、請求項３の発明によれば、上記請求項１の発明に加えて、取付板は、上部に位置してシュートが係脱自在に係合される上部係合部と、下部に位置してシュートの下縁が係脱自在に載置される下部保持枠とを備えたので、シュート上部を上部係合部に係合させると共に、シュート下部を下部保持枠に載置させるのみで保持させることができ、容易にシュートは取付板の所定位置に位置決めされる。これにより、シュートの取り付け／取り外しが極めて容易となり、シュートの清掃作業性が著しく改善させるものである。
【００１９】
特に、シュート上部は、上部係合部に係合して保持されるため、貯氷庫の放出口から放出される氷によって取付位置がずれてしまう不都合を効果的に抑止することが可能となり、円滑な氷排出を実現できる。
【００２０】
請求項４の発明によれば、上記各発明において、飲用の水を放出する水パイプを備え、該水パイプは取付板に取り付けられているので、シュートの着脱作業に伴い水パイプを取り外す必要がなくなる。これにより、シュートの着脱作業が極めて容易となる。
【発明を実施するための最良の形態】
【００２１】
以下、本発明の各実施形態を図面に基づき詳述する。
【実施例１】
【００２２】
図１は本発明の氷ディスペンサＩＤの斜視図、図２は氷ディスペンサＩＤの前面パネル２７を開いた状態の斜視図、図３は氷ディスペンサＩＤに設けられた製氷機としてのオーガ式製氷機ＩＭの構成図、図４は氷ディスペンサＩＤの貯氷庫１９部分の正面図、図５は図４の貯氷庫１９前部の縦断側面図、図６は氷ディスペンサＩＤのシュート２４と取付板６０の斜視図、図７はシュート２４を撤去した状態の貯氷庫１９部分の正面図、図８は氷ディスペンサＩＤの電気回路図をそれぞれ示している。
【００２３】
本実施例の氷ディスペンサＩＤは、例えばレストランなどに設置されて氷を生成し、従業員や顧客がセットしたカップに氷や氷水を排出するものであり、その本体２５内には、図３に示すオーガ式製氷機ＩＭが内蔵されている。そして、本体２５の前面上部には、前面パネル２７が開閉自在に設けられている。本実施例において当該前面パネル２７は、ヒンジ部材６９にて本体２５の一側を回動自在に枢支し開閉自在に閉塞する前面扉とされている。
【００２４】
この前面パネル２７の非枢支側の側面には、開放操作に用いられるハンドル２７Ｂが形成されていると共に、当該前面パネル２７の開放を禁止するための施錠部２７Ｃが設けられている。そして、本体２５の非枢支側の側部には、前面パネル２７の開閉を検出するための扉検出スイッチ５４が設けられていると共に、前面パネル２７裏面の対応する位置には、当該扉検出スイッチ５４のマグネット５４Ｍが設けられている。更に、本実施例では、本体２５の非枢支側の側部には、マグネット７１が設けられていると共に、前面パネル２７裏面の対応する位置には、鋼板性材料にて構成される板材７２が設けられている。当該マグネット７１と板材７２の磁力によって前面パネル２７の閉鎖状態を保持することができる。
【００２５】
本体２５の前面パネル２７下側には凹陥したカップ載置部２６が構成されており、カップに氷や氷水を投入したいとき、従業員や顧客はこのカップ載置部２６にカップをセットすることになる。本体２５内のオーガ式製氷機ＩＭから氷を案内してカップ内に排出するための後述するシュート２４（図４）は、当該シュート２４が取り付けられる貯氷庫１９と共に前方から前面パネル２７にて覆われており、当該シュート２４の下端２４Ａは、この前面パネル２７の下面２７Ａ中央よりカップ載置部２６内に臨んでいる。なお、当該シュート下端２４Ａは、前面パネル２７にて覆われているものであっても、下面２７Ａよりも少許下方にまで延在するものであっても良い。
【００２６】
前面パネル２７の中央寄りの位置には氷又は氷水の放出を指示するための放出スイッチ４８が設けられており、その向かって右側には操作パネル６１が構成されている。この操作パネル６１には７セグメントＬＥＤから成る表示部３６の他、氷のみ、又は、飲料水のみ、若しくは、氷と飲料水の両方（氷水）を抽出するかの切換を指示するための切換スイッチ、電源スイッチや製氷スイッチ、強制排水スイッチ、放出スイッチ４８を押したときに一定量の氷を排出するか押している間連続して排出するかの切り換えを指示するための定量／連続スイッチなど各種スイッチが設けられている。これら各スイッチ（何れも操作スイッチ）及び表示部３６は、後述する操作基板３５に接続されている。
【００２７】
また、前面パネル２７の下面２７Ａには、前方から見えない、或いは、見え難い位置にロックスイッチ５３が設けられている。このロックスイッチ５３は操作パネル６１に設けられた各スイッチの操作を規制する指示を行うためのスイッチである。
【００２８】
この氷ディスペンサＩＤに搭載されたオーガ式製氷機ＩＭは、図３に示す如く製氷用水から氷を生成するための冷却器２を備えた製氷部１と、この製氷部１の冷却器２と共に冷凍サイクルを構成するコンデンサ３、コンプレッサ４、及び、膨張弁５、デハイドレータ６とを冷媒配管にて順次接続して冷却装置を構成している。尚、コンデンサ３には当該コンデンサ３を空冷するための図示しないコンデンシングファンが設けられている。
【００２９】
また、前記製氷部１に製氷用水（水道水）を供給するために製氷用水を貯留するシスターン９が設けられており、このシスターン９は水道管８に給水弁（製氷用）ＷＶ１を介して接続されている。なお、この水道管８には、給水弁（飲料水用）ＷＶ２が介設された飲料水供給配管１１が接続されている。この飲料水供給配管１１の端部には、詳細は後述する水パイプ１４が着脱自在に接続される。
【００３０】
そして、シスターン９にはオーバーフロー管１０が接続されると共に、シスターン９内にはその満水位を検出するためのフロートスイッチから成る満水位スイッチ２２と低水位スイッチ２３がそれぞれ設けられている。シスターン９に貯溜された水は、給水管１２にて前記製氷部１に導入され、不要な水は排水管１３にて排出される。この排水管１３は後述する貯氷庫１９の排水管７に排水弁ＷＶＤを介して接続されている。
【００３１】
一方、前記製氷部１は、内壁を平滑な円筒状内面とされたステンレス製の冷却円筒１５内にオーガ（回転刃）１６を同心的且つ回転可能に挿入し、前記冷却円筒１５の外壁にパイプ状の前記冷却器２を螺旋状に密着巻付して構成されている。尚、これら冷却円筒１５と冷却器２との隙間には両者の結合と熱伝達性能の向上を目的としてハンダが注入されている。
【００３２】
また、前記オーガ１６は、下部を下部軸受け１７にて、上部を氷圧縮経路を構成する上部軸受け１８にて軸支されている。また、この上部軸受け１８にて圧縮された氷（氷片）は、冷却円筒１５の上方に設けられた貯氷庫１９に導出される。
【００３３】
前記給水管１２と排水管１３は冷却円筒１５の下部においてその内部にそれぞれ連通すると共に、これらの下方における冷却円筒１５の下部には、更にオーガ１６を回転駆動するためオーガモータ４５（後述）を備える駆動装置２０が減速装置２１を介して接続されている。
【００３４】
前記貯氷庫１９は、上面に開口を有する断熱箱体により構成されており、この上面開口には、蓋部材１９Ａが開閉自在に設けられている。また、この蓋部材１９Ａには、貯氷庫１９内の貯氷量を検出する貯氷スイッチ３３が設けられると共に、貯氷庫１９内にはオーガ１６の上端に連結されて当該オーガ１６と同期回転する放出装置６２が設けられている。更に、この貯氷庫１９の前下部には、放出口６３が形成されており、放出装置６２は回転して貯氷庫１９内の氷をこの放出口６３に押し出す。
【００３５】
そして、この貯氷庫１９の前面（外面）には放出口６３を開閉するための開閉扉装置２９が設けられている。この開閉扉装置２９は、貯氷庫１９の前面に取り付けられる基台６４と、この基台６４上部に取り付けられたソレノイド（電磁ソレノイドから成る駆動手段）２８と、このソレノイド２８から下方に突出して垂下するプランジャ（ソレノイドプランジャ）６６と、基台６４の下部に設けられた水平方向の回動軸７０を中心として上端部が回動自在に枢支され、前記貯氷庫１９の放出口６３を開閉するシャッタ６８などから構成されている。
【００３６】
そして、貯氷庫１９の前面には、放出口６３の下縁には斜め下方に延在するスライダ７８が取り付けられている。このスライダ７８は放出口６３の横幅方向の全幅（或いはそれ以上）に渡って設けられ、放出口６３から放出された氷を後述するシュート２４内に案内する。
【００３７】
なお、当該本体２５の前面開口上部は、前面パネル２７の後方に位置して当該開閉扉装置２９や両側部に配設される他の機器を隠蔽するためのカバー部材６７（図２参照）が取り付けられている。このカバー部材６７は、後述する取付板６０に取り付けられるシュート２４を迂回するかたちで形成されている。これにより、シュート２４周辺の清掃作業に際し、手指が開閉扉装置２９等に直接触れない構成とされると共に、当該シュート２４の着脱作業を容易としている。
【００３８】
そして、貯氷庫１９外面（前面）には取付板６０が取り付けられ、前述したシュート２４はこの取付板６０に保持されている。この取付板６０は一枚の鋼板を屈曲して図６に示すように前壁部３７と、水パイプ収容部３８と、下部保持枠３９とが構成されている。
【００３９】
前壁部３７は、貯氷庫１９下部前面に沿って形成されており、貯氷庫１９の外面にネジ止めされている。そして、前壁部３７は、貯氷庫１９の放出口６３を囲繞するように上方に開口した略コ字状を呈しており、この両側面には、放出口６３の左右側方に位置してシュート２４上部を係脱自在に保持するための上部係合部４９、４９が設けられている。なお、本実施例において当該上部係合部４９は、例えば合成樹脂にて構成された前方に切欠が形成される断面略円筒状を呈しており、前方からシュート２４に形成される係合部２４Ａを挿脱することで、着脱自在にシュート２４上部を保持する。
【００４０】
水パイプ収容部３８は、前壁部３７下端が貯氷庫１９の下面に沿って後方に折曲された後、所定角度にて下方に折曲形成されることで、前方に開口した収容部とされている。この水パイプ収容部３８の前面には、略Ｌ字状に形成される水パイプ１４を係脱自在に保持するためのパイプ係合部５０、５０が設けられている。なお、当該パイプ係合部５０は、上記上部係合部４９と略同一の構成とされている。
【００４１】
そして、下部保持枠３９は、水パイプ収容部３８の下端から前方に向けて折曲することで形成されており、上面には、シュート２４下縁を保持するための開口５１（矩形状の開口）が形成されている。
【００４２】
一方、シュート２４は図６に示すように、硬質合成樹脂にて成形された上下に長い略矩形筒状を呈しており、上下に開放し、且つ、後面上部も後方に開放している。また、シュート２４の左右側壁上部には外方に突出して上下に延在する円柱状の係合部２４Ａが一体に形成されている。更に、シュート２４下縁は、後縁が左右に渡って切り欠かれ他の前縁や左右縁よりも上方に位置する保持辺２４Ｂとされている。これにより、保持辺２４Ｂよりも下側にまで延在する前縁及び左右縁にて構成される下縁２４Ｃのみが下部保持枠３９の開口５１内に挿入可能とされる。このとき、保持辺２４Ｂが下部保持枠３９の開口５１上縁部に当接することにより、シュート２４下縁が保持される。
【００４３】
そして、シュート２４の下縁２４Ｃを下部保持枠３９の開口５１に挿入して保持辺２４Ｂを開口５１上縁部に載置し、その状態でシュート２４の上部を後方に押し込んで係合部２４Ａを取付板６０の上部係合部４９と係合させてシュート２４を取り付ける。これによって、前面パネル２７を開放することで露出されるシュート２４は、取付板６０の上部係合部４９及び下部保持枠３９によって、上下、左右、及び前後に移動不能な状態で確実に、且つ、着脱可能に保持される。
【００４４】
このシュート２４が所定位置に位置決めされた状態で、シュート２４の上端は貯氷庫１９の放出口６３の前方に位置し、その下部は、取付板６０より下方に突出してカップ載置部２６内に臨んでいる（図４）。このとき、スライダ７８は放出口６３の下縁からシュート２４内に延在し、放出口６３から放出される氷をシュート２４内に案内する。
【００４５】
このように、前面パネル２７を開放することで、従来の如くシュート２４を前面パネルの下側から操作していた場合に比して、容易にシュート２４を取り外して掃除することが可能となり、氷が通過することで濡れて汚れが付き易いシュート２４の清掃が極めて容易となり、常に衛生的な氷の排出を実現することができるようになる。
【００４６】
また、シュート２４は、その上部に設けられた係合部２４Ａを貯氷庫１９に取り付けられた取付板６０の上部係合部４９に係合させると共に、その下縁２４Ｃを取付板６０の下部保持枠３９に載置させるのみで保持させることができる。これにより、シュート２４の上端及び下端を適切な位置となるように取り付けることが可能となり、傾いてしまうことによる隙間の形成を回避でき、円滑な氷の排出を実現することができる。従って、シュート２４の取り付け／取り外しが極めて容易となり、シュート２４の清掃作業性が著しく改善させるものである。
【００４７】
特に、シュート２４上部は、係合部２４Ａを上部係合部４９に係合して保持されるため、貯氷庫１９の放出口６３から放出される氷によって取付位置がずれてしまう不都合を効果的に抑止することが可能となり、円滑な氷排出を実現できる。
【００４８】
また、飲料水を放出する水パイプ１４は取付板６０の水パイプ収容部３８に着脱自在に取り付けられているので、シュート２４の着脱作業に伴い水パイプ１４を取り外す必要がなくなる。これにより、シュート２４の着脱作業が極めて容易となる。
【００４９】
本実施例では、前面パネル２７を開放した状態では、シュート２４と取付部分以外の例えば、開閉扉装置２９等は、上述したようにカバー部材６７により閉塞されているため、シュート２４の清掃時に容易にこれらの部分に手指が触れてしまう不都合を回避することができ、安全性の向上を実現できる。
【００５０】
次に、図８を参照して氷ディスペンサＩＤの電気回路を説明する。図８において、Ｋはコンデンサ３の温度を検知するコンデンサセンサ３１、冷却器２の温度を検知する冷却器センサ３２、前記貯氷庫１９内の貯氷量を検知する貯氷スイッチ３３が接続された制御装置としてのコントロール基板である。このコントロール基板Ｋは汎用マイクロコンピュータ（制御手段）から構成されており、基板用トランス３４から電源を得ている。この基板用トランス３４には、コントロール基板Ｋとの間に位置して基板用リレーＲ４のリレー接点５２が接続されている。
【００５１】
また、前記コントロール基板Ｋには、各センサ３１、３２、３３の他、操作基板３５、前記満水位スイッチ２２、低水位スイッチ２３が接続されている。商用交流電源には、前記コンプレッサ４のコンプレッサモータ５１をＯＮ−ＯＦＦするコンプレッサ用リレー接点４０、始動コンデンサ４１、及び、運転コンデンサ４２、コンプレッサモータ始動リレー４３、コンプレッサモータ用オーバーロードリレー４４が直列に接続されている。更に、コンプレッサモータ始動リレー４３とコンプレッサモータ用オーバーロードリレー４４との間から前記コントロール基板Ｋに接続している。
【００５２】
また、商用交流電源には、ロックスイッチ５３と、微少電流用リレーＲ３が直列に接続されていると共に、マグネット５４Ａの近接によってＯＮとされ、前面パネル２７の閉鎖を検出する扉検出スイッチ５４と、基板用リレーＲ４が直列に接続されている。
【００５３】
また、前記コントロール基板Ｋには、コンプレッサ用リレー接点４０をＯＮ−ＯＦＦさせるコンプレッサ用リレーＲ１と、前記コンデンシングファンのコンデンシングファンモータ５６に接続されたリレーＲ５と、排水弁ＷＶＤに接続されたリレーＲ６と、前記開閉扉装置２９のソレノイド２８に接続されたリレーＲ７と、給水弁ＷＶ１に接続されたリレーＲ８と、給水弁ＷＶ２に接続されたリレーＲ９とを備えている。また、コントロール基板Ｋには、前記オーガモータ４５及び運転コンデンサ４６に接続されたリレーＲ２が接続されている。尚、４７は前記オーガモータ４５のオーバーロードリレー、５７は前記ソレノイド２８のオーバーロードリレーである。
【００５４】
また、前記操作基板３５には、前述した放出スイッチ４８、表示部３６、電源スイッチ、製氷スイッチ、強制排水スイッチ、定量／連続スイッチ、切換スイッチがそれぞれ設けられている。尚、コントロール基板Ｋのマイクロコンピュータはその機能として後述する運転時間タイマを備えている。
【００５５】
上述した構造において、本発明の氷ディスペンサＩＤの動作を説明する。操作パネル６１の前記電源スイッチを押す（操作）と氷ディスペンサＩＤは運転可能状態となる。次に、前記製氷スイッチを押す（操作）と、次の初回洗浄工程が開始される。
（１）初回洗浄工程
この初回洗浄工程では、低水位スイッチ２３がＯＮとなっており、コントロール基板Ｋのマイクロコンピュータは給水弁ＷＶ１及び排水弁ＷＶＤを開き、冷却円筒１５内に給水すると共に排水を行う。尚、初回洗浄工程と後述する製氷工程においては、マイクロコンピュータは初期設定状態で排水弁ＷＶＤを１時間毎（定時排水間隔）に３０秒間（定時排水時間）開く排水動作を実行する。それによって、冷却円筒１５内の製氷用水を廃棄し、冷却円筒１５内の洗浄を行う。従って、この初回洗浄工程においても排水弁ＷＶＤを３０秒開く。
【００５６】
また、マイクロコンピュータは排水弁ＷＶＤを閉じた後も給水弁ＷＶ１を開としており、この初回洗浄工程で満水位スイッチ２２がＯＮされるまで給水される。尚、この給水管１２からの給水量は、排水管１３による排水量より水量が多くなるよう設定されており、そのため、排水弁ＷＶ１が開であっても、給水弁ＷＶ２を開いていると、所定時間経過後、低水位スイッチ２３はＯＦＦとなる。また、係る初回洗浄工程開始と同時に、オーガモータ４５へ通電され、オーガ１６が回転駆動される。
（２）製氷工程
また、満水位スイッチ２２がＯＮすると、マイクロコンピュータは続いて製氷工程に入り、給水弁ＷＶ１をＯＦＦし、コンプレッサ４（コンプレッサモータ５１）及びファンモータ５６をＯＮして製氷を行う。この製氷工程においては、オーガ１６により冷却円筒１５の内壁に生成した氷を削取しつつ上方に移送し、上部軸受け１８の氷圧縮経路にて圧縮することによって、連続的に氷片を生成する。生成された氷（氷片）はその上部に設けられている貯氷庫１９に導出され、蓄えられる。
【００５７】
係る製氷工程で、シスターン９内の製氷用水が無くなると、低水位スイッチ２３がＯＮするので、コントロール基板Ｋのマイクロコンピュータは給水弁ＷＶ１を開放し、給水を開始する。そして、満水位スイッチ２２がＯＮすると給水弁ＷＶ１が閉じられる。
（３）貯氷工程
この製氷、給水の動作を繰り返した後、貯氷スイッチ３３が満氷を検知すると、３０秒間経過後、コントロール基板Ｋのマイクロコンピュータはコンプレッサ４及びファンモータ５６をＯＦＦし、その後９０秒経過したらオーガモータ４５をＯＦＦし、製氷工程（製氷動作）を停止して貯氷工程に入る。
【００５８】
この貯氷工程において貯氷スイッチ３３が満氷を検知しなくなってから１５０秒後にコントロール基板Ｋのマイクロコンピュータは製氷開始と判断し、オーガモータ４５をＯＮ、排水弁ＷＶＤを開とする。ここでは、一度排水しているため、低水位スイッチ２３がＯＮとなる。この低水位スイッチ２３がＯＮとなると同時に、コントロール基板Ｋのマイクロコンピュータは給水弁ＷＶ２を開とし、満水位スイッチ２２が満水検知するまで給水を継続する。
【００５９】
満水位スイッチ２２がＯＮすると、再び製氷工程に移行し、コンプレッサ４（コンプレッサモータ５１）及びファンモータ５６をＯＮとして製氷を再開する。このようにして、貯氷庫１９内には常時所定量の氷が貯留される。
（４）氷放出動作
次に、開閉扉装置２９による貯氷庫１９からの氷放出動作について説明する。尚、定量／連続スイッチで定量が選択されている場合、コントロール基板Ｋのマイクロコンピュータは放出スイッチ４８が一回押される（操作）毎に後述する如くシャッタ６８により放出口６３を開き、所定期間経過後に閉じて一定量の氷を放出する。また、連続が選択されている場合、マイクロコンピュータは放出スイッチ４８は押されている間（操作）シャッタ６８により放出口６３を開放し、放出スイッチ４８から手をはなすまで氷を放出し続け、放出スイッチ４８が押されなくなったらシャッタ６８を閉じる動作を実行する。
【００６０】
また、シャッタ６８により放出口６３を開放している間、コントロール基板Ｋのマイクロコンピュータはオーガモータ４５をＯＮしてオーガ１６及び放出装置６２を回転させ、貯氷庫１９内の氷を放出口６３方向に押し出すものとする。
【００６１】
これにより、シャッタ６８の開放中、放出装置６２は回転されるので、貯氷庫１９内の氷は開放されている放出口６３より押し出され、スライダ７８上を滑ってシュート２４内に落下する。そして、このシュート２４内を経てカップ載置部２６に載置されたカップ内に排出される。
【００６２】
なお、上記放出スイッチ４８の操作に基づく氷の放出動作は、上述した如き前面パネル２７が開放され、これによって、マグネット５４Ｍが扉検出スイッチ５４から遠ざかると、基板用リレーＲ４のリレー接点５２がＯＦＦとなり、基板用トランス３４からコントロール基板Ｋへの給電が停止される。
【００６３】
従って、前面パネル２７が開放された状態では、氷ディスペンサＩＤのコントロール基板Ｋへの給電が行われないことから、作動される内部機器に手指等が触れてしまう不都合を未然に回避することができ、安全性の向上を実現することができる。そのため、シュート２４の着脱作業やシュート２４及びその周辺の清掃作業を安全に行うことができる。
【実施例２】
【００６４】
次に、実施例２として、上記実施例におけるシュート２４の取付板６０の他の実施例の構成について図９を参照して説明する。当該実施例における取付板８０は、上記実施例と同様に、前壁部３７と、水パイプ収容部３８と、下部保持枠３９とが構成されている。
【００６５】
貯氷庫１９の外面にネジ止めされる前壁部３７の両側面には、放出口６３の左右側方に位置してシュート８２上部を係脱自在に保持するための上部係合孔８１、８１が形成されている。なお、水パイプ収容部３８及び下部保持枠３９の構成については上記実施例と同様であるため説明を省略する。
【００６６】
一方、シュート８２は、上記実施例におけるシュート２４と同様に、上下に長い略矩形筒状を呈しており、上下に開放し、且つ、後面上部も後方に開放している。そして、シュート８２の左右側壁上部には後方に延在する係合爪８２Ａ、８２Ａが一体に形成されている。当該係合爪８２Ａは、取付板８０の上部係合孔８１内に挿入して当該爪部によって係合保持される。この前端は、シュート８２前部に延在し、当該前端をシュート８２側壁側に操作することで、係合爪８２Ａと上部係合孔８１との係合を解除可能としている。なお、シュート８２下端の形状は、前記シュート２４と同様であるため説明を省略する。
【００６７】
そして、シュート８２の下縁２４Ｃを下部保持枠３９の開口５１に挿入して保持辺２４Ｂを開口５１上縁部に載置し、その状態でシュート８２の上部を後方に押し込んで係合爪８２Ａを取付板６０の上部係合孔８１と係合させてシュート８２を取り付ける。これによって、前面パネル２７を開放することで露出されるシュート８２は、取付板８０の上部係合孔８１及び下部保持枠３９によって、上下、左右、及び前後に移動不能な状態で確実に、且つ、着脱可能に保持される。
【００６８】
そのため、容易にシュート８２を取り外して掃除することが可能となり、氷が通過することで濡れて汚れが付き易いシュート８２の清掃が極めて容易となり、常に衛生的な氷の排出を実現することができるようになる。
【００６９】
また、シュート８２は、その上部に設けられた係合爪８２Ａを貯氷庫１９に取り付けられた取付板８０の上部係合孔８１に係合させると共に、その下縁を取付板８０の下部保持枠３９に載置させるのみで保持させることができる。これにより、シュート８２の上端及び下端を適切な位置となるように取り付けることが可能となり、傾いてしまうことによる隙間の形成を回避でき、円滑な氷の排出を実現することができる。従って、シュート８２の取り付け／取り外しが極めて容易となり、シュート８２の清掃作業性が著しく改善させるものである。
【００７０】
特に、シュート８２上部は、係合爪８２Ａを上部係合孔８１に係合して保持されるため、貯氷庫１９の放出口６３から放出される氷によって取付位置がずれてしまう不都合を効果的に抑止することが可能となり、円滑な氷排出を実現できる。
【実施例３】
【００７１】
次に、実施例３として、上記実施例１におけるシュート２４の取付板６０の他の実施例の構成について図１０を参照して説明する。当該実施例における取付板８５は、上記実施例と同様に、前壁部３７と、水パイプ収容部３８と、下部保持枠３９とが構成されている。
【００７２】
貯氷庫１９の外面にネジ止めされる前壁部３７の両側面には、放出口６３の左右側方に位置してシュート８８上部を挿脱自在に保持するため開口８７が形成された上部保持枠８６が形成されている。当該開口８７は、シュート８８を挿脱自在に保持可能な寸法に形成されているものとする。なお、水パイプ収容部３８及び下部保持枠３９の構成については上記実施例１と同様であるため説明を省略する。
【００７３】
一方、シュート８８は、上記実施例におけるシュート２４と同様に、上下に長い略矩形筒状を呈しており、上下に開放し、且つ、後面上部も後方に開放している。なお、シュート８８下端の形状は、前記シュート２４と同様であるため説明を省略する。
【００７４】
そして、シュート８８の上縁を上部保持枠８６の開口８７に挿入して持ち上げ、次にシュート８８の下縁２４Ｃを下部保持枠３９の開口５１に落とし込んで保持辺２４Ｂを開口５１上縁部に載置することでシュート８８を取り付ける。これによって、前面パネル２７を開放することで露出されるシュート８８は、取付板８５の上部保持枠８６及び下部保持枠３９によって、上下、左右、及び前後に移動不能な状態で確実に、且つ、着脱可能に保持される。
【００７５】
そのため、容易にシュート８８を取り外して掃除することが可能となり、氷が通過することで濡れて汚れが付き易いシュート８８の清掃が極めて容易となり、常に衛生的な氷の排出を実現することができるようになる。
【００７６】
また、シュート８８は、シュート上部を上部保持枠８６に挿入するのみで保持させることができると共に、シュート下部を下部保持枠３９に載置させるのみで保持させることができ、容易にシュート８８は取付板８５の所定位置に位置決めされる。これにより、シュート８８の取り付け／取り外しが極めて容易となり、シュート８８の清掃作業性が著しく改善させるものである。
【００７７】
特に、シュート８８上部は、上部保持枠８６内に挿入されることで保持されるため、貯氷庫１９の放出口から放出される氷によって取付位置がずれてしまう不都合を効果的に抑止することが可能となり、円滑な氷排出を実現できる。
【図面の簡単な説明】
【００７８】
【図１】本発明の氷ディスペンサの斜視図である。
【図２】氷ディスペンサの前面扉（前面パネル）を開いた状態の斜視図である。
【図３】氷ディスペンサに設けられた製氷機としてのオーガ式製氷機の構成図である。
【図４】氷ディスペンサの貯氷庫部分の正面図である。
【図５】図４の貯氷庫前部の縦断側面図である。
【図６】氷ディスペンサのシュートと取付板の斜視図である。（実施例１）
【図７】シュートを撤去した状態の貯氷庫部分の正面図である。
【図８】氷ディスペンサの電気回路図である。
【図９】他の実施例としての氷ディスペンサのシュートと取付板の斜視図である。（実施例２）
【図１０】他の実施例としての氷ディスペンサのシュートと取付板の斜視図である。（実施例３）
【符号の説明】
【００７９】
ＩＤ    氷ディスペンサ
ＩＭ    オーガ式製氷機
ＷＶ１  給水弁（製氷用）
ＷＶ２  給水弁（飲料水用）
ＷＶＤ  排水弁
Ｋ    コントロール基板
１    製氷部
２    冷却器
１４  水パイプ
１５  冷却円筒
１６  オーガ
１９  貯氷庫
２４、８２、８８  シュート
２４Ａ、５０  係合部
２５  本体
２６  カップ載置部
２７  前面パネル（前面扉）
２９  開閉扉装置
３４  基板用トランス
３５  操作基板
３７  前壁部
３８  水パイプ収容部
３９  下部保持枠
４８  放出スイッチ
４９  上部係合部
５４  扉検出スイッチ
５４Ｍ  マグネット
６０、８０、８５  取付板
６３  放出口
６７  カバー部材
６８  シャッタ
７８  スライダ
【図１】
2009097780.tif 000003
【図２】
2009097780.tif 000004
【図３】
2009097780.tif 000005
【図４】
2009097780.tif 000006
【図５】
2009097780.tif 000007
【図６】
2009097780.tif 000008
【図７】
2009097780.tif 000009
【図８】
2009097780.tif 000010
【図９】
2009097780.tif 000011
【図１０】
2009097780.tif 000012